(57)【要約】【課題】第１の編部と、伸度がより低い第２の編部のうち、第２の編部を平面視で使用者の足の足幅方向に蛇行して配置する等して、「使用者のＭＰ関節・リスフラン関節・ショパール関節へのフィット性」を向上させる。【解決手段】使用者Ｕが履く靴１００のアッパー部材１である。アッパー部材１は、立体的に一体編成された無縫製の緯編地２であり、緯編地２は、第１の緯編部２１と、第１の編部２１を編成する糸より伸度Ｄが低い糸で編成された第２の編部２２を有し、第２の編部２２は、平面視で使用者Ｕの足Ｆの足幅方向Ｓに蛇行して配置され、第１の編部２１は、第２の編部２２の隙間に配置されている。又、第１の編部２１は、平面視で使用者Ｕの足Ｆにおける一方の側部ＦＳ１から他方の側部ＦＳ２へ又は他方の側部ＦＳ２から一方の側部ＦＳ１へ向いて先細り状に配置され、第２の編部２２は、第１の編部２１の隙間に配置されていても良い。【選択図】図５
2019062966.tif 000002
【特許請求の範囲】
【請求項１】
使用者が履く靴のアッパー部材であって、
当該アッパー部材は、前記使用者の足を覆い、且つ、立体的に一体編成された無縫製の緯編地であり、
この緯編地は、第１の編部と、この第１の編部を編成する糸より伸度が低い糸で編成された第２の編部を有し、
前記第２の編部は、平面視で前記使用者の足の足幅方向に蛇行して配置されていると共に、
前記第１の編部は、前記第２の編部の隙間に配置されていることを特徴とするアッパー部材。
【請求項２】
使用者が履く靴のアッパー部材であって、
当該アッパー部材は、前記使用者の足を覆い、且つ、立体的に一体編成された無縫製の緯編地であり、
この緯編地は、第１の編部と、この第１の編部を編成する糸より伸度が低い糸で編成された第２の編部を有し、
前記第１の編部は、平面視で前記使用者の足における一方の側部から他方の側部へ又は他方の側部から一方の側部へ向いて先細り状に配置されていると共に、
前記第２の編部は、前記第１の編部の隙間に配置されていることを特徴とするアッパー部材。
【請求項３】
前記第２の編部には、シューレースを挿通するシューホールが形成されていることを特徴とする請求項１又は２に記載のアッパー部材。
【請求項４】
前記第１の編部を編成する糸は、ポリウレタン樹脂製の糸とゴム製の糸の少なくとも一方を含んでいることを特徴とする請求項１〜３の何れか１項に記載のアッパー部材。
【請求項５】
前記第２の編部を編成する糸は、熱融着性部分を有した熱融着糸を含んでいることを特徴とする請求項１〜４の何れか１項に記載のアッパー部材。
【請求項６】
請求項１〜５の何れか１項に記載のアッパー部材と、このアッパー部材を取り付けるソール部材を備え、
前記アッパー部材の足長方向長さは、前記ソール部材の足長方向長さより短いことを特徴とする靴。
【発明の詳細な説明】
【技術分野】
【０００１】
本発明は、使用者が履く靴のアッパー部材、及び、靴に関する。
【背景技術】
【０００２】
従来、シューズ、特にスポーツシューズ用のアッパーが知られている（特許文献１参照）。
このアッパーは、ａ．一体のニットウェアとして製造された、少なくとも１つの第１の部分領域および少なくとも１つの第２の部分領域を備え、ｂ．前記第１の部分領域は、第１の糸を含み、前記第２の部分領域は、第２の糸を含み、ｃ．前記第１の糸は、前記第２の糸よりも高い弾性を有する。
【先行技術文献】
【特許文献】
【０００３】
【特許文献１】特開２０１４−２１０１７９号公報
【発明の概要】
【発明が解決しようとする課題】
【０００４】
しかしながら、特許文献１に記載されたアッパーは、特許文献１の図９等に示されるように、第１、第２の部分領域が、使用者の足の足長方向に沿って交互に（略直交するように）配置されているものの、使用者の足は、その足長方向に対してＭＰ関節・リスフラン関節・ショパール関節が斜めに位置するため、特許文献１では、第１、第２の部分領域の何れもが、これら各関節に寄り添い難い。
【０００５】
本発明は、このような点に鑑み、第１の編部と、伸度がより低い第２の編部のうち、第２の編部を平面視で使用者の足の足幅方向に蛇行して配置する等で、「使用者のＭＰ関節・リスフラン関節・ショパール関節へのフィット性」を向上させるアッパー部材、及び、靴を提供することを目的とする。
【課題を解決するための手段】
【０００６】
本発明に係るアッパー部材１は、使用者が履く靴のアッパー部材であって、当該アッパー部材は、前記使用者の足を覆い、且つ、立体的に一体編成された無縫製の緯編地であり、この緯編地は、第１の編部と、この第１の編部を編成する糸より伸度が低い糸で編成された第２の編部を有し、前記第２の編部は、平面視で前記使用者の足の足幅方向に蛇行して配置されていると共に、前記第１の編部は、前記第２の編部の隙間に配置されていることを第１の特徴とする。
【０００７】
本発明に係るアッパー部材１の第２の特徴は、使用者が履く靴のアッパー部材であって、当該アッパー部材は、前記使用者の足を覆い、且つ、立体的に一体編成された無縫製の緯編地であり、この緯編地は、第１の編部と、この第１の編部を編成する糸より伸度が低い糸で編成された第２の編部を有し、前記第１の編部は、平面視で前記使用者の足における一方の側部から他方の側部へ又は他方の側部から一方の側部へ向いて先細り状に配置されていると共に、前記第２の編部は、前記第１の編部の隙間に配置されている点にある。
【０００８】
本発明に係るアッパー部材１の第３の特徴は、上記第１又は２の特徴に加えて、前記第２の編部には、シューレースを挿通するシューホールが形成されている点にある。
【０００９】
本発明に係るアッパー部材１の第４の特徴は、上記第１〜３の特徴に加えて、前記第１の編部を編成する糸は、ポリウレタン樹脂製の糸とゴム製の糸の少なくとも一方を含んでいる点にある。
【００１０】
本発明に係るアッパー部材１の第５の特徴は、上記第１〜４の特徴に加えて、前記第２の編部を編成する糸は、熱融着性部分を有した熱融着糸を含んでいる点にある。
【００１１】
これらの特徴により、第１の編部２１と、伸度Ｄがより低い第２の編部２２のうち、第２の編部２２を、平面視で使用者Ｕの足Ｆの足幅方向Ｓに蛇行して配置すると共に、第１の編部２１を、第２の編部２２の隙間に配置することによって、これら第１、第２の編部２１、２２が、使用者Ｕの足Ｆの足長方向Ｌや足厚方向に対して斜めに位置するようになるため、特許文献１とは異なり、同じく使用者Ｕの足Ｆの足長方向Ｌ等に対して斜めに位置するＭＰ関節・リスフラン関節・ショパール関節に寄り添い易くなる（「使用者ＵのＭＰ関節・リスフラン関節・ショパール関節へのフィット性」の向上）。
【００１２】
又、第１の編部２１と、伸度Ｄがより低い第２の編部２２のうち、第１の編部２１を、平面視で使用者Ｕの足Ｆにおける一方の側部ＦＳ１から他方の側部ＦＳ２へ又は他方の側部ＦＳ２から一方の側部ＦＳ１へ向いて先細り状に配置すると共に、第２の編部２２を、第１の編部２１の隙間に配置することによっても同様で、第１、第２の編部２１、２２が、使用者Ｕの足Ｆの足長方向Ｌや足厚方向に対して斜めに位置するようになるため、「使用者ＵのＭＰ関節・リスフラン関節・ショパール関節へのフィット性」の向上が図れる。
尚、アッパー部材１における踵部分１ｈ以外においても、使用者の足の足長方向Ｌ等に対して斜めに位置しているＭＰ関節・リスフラン関節・ショパール関節にも寄り添うように、第２の編部２２を斜めに配置することが可能となる。
【００１３】
これらに加えて、第２の編部２２に、シューレース１０１を挿通するシューホール３を形成したり、第１の編部２１を編成する糸にポリウレタン樹脂製の糸やゴム製の糸を含ませたり、第２の編部２２を編成する糸に熱融着糸４を含ませることによって、「使用者ＵのＭＰ関節・リスフラン関節・ショパール関節へのフィット性」がより向上する。
【００１４】
本発明に係る靴１００は、上記第１〜５の特徴を有したアッパー部材と、このアッパー部材を取り付けるソール部材を備え、前記アッパー部材の足長方向長さは、前記ソール部材の足長方向長さより短いことを第１の特徴とする。
【００１５】
この特徴により、アッパー部材１の足長方向長さ１Ｌを、ソール部材３０の足長方向長さ３０Ｌより短くすることによって、アッパー部材１をソール部材３０に取り付けた際に、アッパー部材１全体で、使用者Ｕの足Ｆを緩やかに拘束でき、使用者Ｕが靴１００を履いた際に、使用者Ｕの足Ｆの皮膚に、アッパー部材１を更に追従させ易くなる。
尚、本発明における「アッパー部材１の足長方向長さ１Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該アッパー部材１の足長方向長さ１Ｌを意味する。
同様に、本発明における「ソール部材３０の足長方向長さ３０Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該ソール部材３０の足長方向長さ３０Ｌを意味する。
【発明の効果】
【００１６】
本発明に係るアッパー部材、及び、靴によると、第１の編部と、伸度がより低い第２の編部のうち、第２の編部を平面視で使用者の足の足幅方向に蛇行して配置する等で、「使用者のＭＰ関節・リスフラン関節・ショパール関節へのフィット性」を向上させるアッパー部材、及び、靴を実現できる。
【図面の簡単な説明】
【００１７】
【図１】本発明に係るアッパー部材（緯編地）を示す図面代用写真である。
【図２】アッパー部材（緯編地）を示す平面図である。
【図３】アッパー部材（緯編地）を示す側面図である。
【図４】アッパー部材（緯編地）を示す正面図である。
【図５】アッパー部材における第１の編部（高伸度部）と、第２の編部（低伸度部）の拡大平面を示す図面代用写真である。
【図６】アッパー部材における第１の編部（高伸度部）と、第２の編部（低伸度部）の拡大底面を示す図面代用写真である。
【図７】アッパー部材をソール部材に取り付けた靴の側面を示す図面代用写真である。
【発明を実施するための形態】
【００１８】
＜アッパー部材１の全体構成＞
以下、本発明の実施の形態を図面を参照して説明する。
図１〜７には、本発明に係るアッパー部材１が示されており、このアッパー部材１は、使用者Ｕが履く靴１００の一部である。
【００１９】
アッパー部材１は、後述する緯編地２であり、後述するソール部材３０に取り付けられて靴１００を構成する。
この靴１００におけるアッパー部材１は、使用者Ｕの足Ｆを覆う部分であることから、まずは、靴１００を履く使用者Ｕの足Ｆについて、以下に詳解する。
【００２０】
＜使用者Ｕの足Ｆ＞
図２、３に示したように、使用者Ｕの足Ｆは、爪先Ｔから踵（かかと）Ｈに向かって順番に、指骨、中足骨、足根骨を有している。
使用者Ｕの足Ｆにおける指骨は、人差し指（第２趾）・中指（第３趾）・薬指（第４趾）・小指（第５趾）においては、爪先Ｔから踵Ｈに向かって順番に、末節骨と中節骨と基節骨で構成されているものの、親指（第１趾）においてだけは、中節骨がなく、末節骨と基節骨で構成されている。
【００２１】
足Ｆの指骨における関節は、人差し指・中指・薬指・小指については、爪先Ｔから踵Ｈに向かって順番に、末節骨と中節骨の間にある遠位趾節間関節（Distal InterPhalangeal joint（ＤＩＰ関節））と、中節骨と基節骨の間にある近位趾節間関節（Proximal InterPhalangeal joint（ＰＩＰ関節））を有している。
尚、上述したように、親指は、末節骨と基節骨で構成されるため、これらの間にある趾節間関節（InterPhalangeal joint （ＩＰ関節））のみを有している。
【００２２】
使用者Ｕの足Ｆは、指骨と中足骨の間にあるＭＰ関節（中足趾節間関節（MetaTarsoPharangeal joint ））を有している。
尚、足ＦにおけるＭＰ関節は、詳解すれば、親指の基節骨（第１基節骨）と親指に対応する中足骨（第１中足骨）の間にある関節と、人差し指の基節骨（第２基節骨）と人差し指に対応する中足骨（第２中足骨）の間にある関節と、中指の基節骨（第３基節骨）と中指に対応する中足骨（第３中足骨）の間にある関節と、薬指の基節骨（第４基節骨）と薬指に対応する中足骨（第４中足骨）の間にある関節と、小指の基節骨（第５基節骨）と小指に対応する中足骨（第５中足骨）の間にある関節を合わせた関節であると言え、手におけるＭＰ関節（中手指節間関節（MetaCarpoPhalangeal joint （ＭＣＰ関節））と区別するためＭＴＰ関節とも言う。
【００２３】
又、ＭＰ関節は、足Ｆにおいて、平面視で最も左右幅が広い（足幅方向の長さが長い）とも言える。
ここで、足Ｆにおける後述する足幅方向（左右方向）Ｓとは、後述する足Ｆの足長方向Ｌに対して、当該足長方向Ｌが略沿う水平面内で、略直交する方向であるとも言える。
一方、足Ｆにおける足厚方向（上下方向、鉛直方向）とは、後述する足Ｆの足長方向Ｌに対して、当該足長方向Ｌが略沿う鉛直平面内で、略直交する方向であるとも言える。
【００２４】
使用者Ｕの足Ｆにおける足根骨は、爪先Ｔ寄りから踵（かかと）Ｈ寄りに向かって順番に、内側楔状骨、中間楔状骨、外側楔状骨、立方骨、舟状骨、距骨、踵骨で構成されている。
足Ｆの足根骨における関節は、爪先Ｔから踵Ｈに向かって順番に、中足骨（親指・人差し指・中指・薬指・小指に対応する５本の中足骨）と足根骨（内側楔状骨・中間楔状骨・外側楔状骨・立方骨）の間にあるリスフラン関節や、足根骨内における（立方骨及び舟状骨と距骨及び踵骨の間にある）ショパール関節などを有している。
【００２５】
尚、上述したリスフラン関節は、親指に対応する中足骨（第１中足骨）と内側楔状骨の間にある関節と、人差し指に対応する中足骨（第２中足骨）と中側楔状骨の間にある関節と、中指に対応する中足骨（第３中足骨）と外側楔状骨の間にある関節と、薬指に対応する中足骨（第４中足骨）及び小指に対応する中足骨（第５中足骨）と立方骨の間にある関節を合わせた関節であると言え、足根中足関節とも言う。
又、ショパール関節は、舟状骨と距骨の間にある距舟関節と、立方骨と踵骨の間にある踵立方関節を合わせた関節であると言え、横足根関節とも言う。
その他、使用者Ｕの足Ｆの足根骨における関節は、上述したリスフラン関節やショパール関節以外にも、外側楔状骨と立方骨の間にある楔立方関節や、楔状骨（内側楔状骨・中側楔状骨・外側楔状骨）と舟状骨の間にある楔舟関節、距骨と踵骨の間にある距骨下関節などを有している。
【００２６】
＜使用者Ｕの足Ｆの足長方向Ｌ＞
図２、３に示したように、本発明における使用者Ｕの足Ｆの「足長方向（前後方向）Ｌ」とは、使用者Ｕの足Ｆにおける爪先Ｔ（親指・人差し指・中指・薬指・小指のうち、最も前方へ突出した指の先端）と踵Ｈ（踵Ｈにおいて最も後方へ突出した先端）を結ぶ方向を意味する。
よって、使用者Ｕの足Ｆは、足長方向Ｌに沿って前から順番に（爪先Ｔから踵Ｈに向かって順番に）、ＭＰ関節、リスフラン関節、ショパール関節を有していると言える。
又、本発明では、このような使用者Ｕの足Ｆについて、その一方の側部をＦＳ１とし、足Ｆの底部をＦＢ、他方の側部をＦＳ２とすると共に、使用者Ｕの足Ｆにおいて、その前部分（爪先Ｔからショパール関節まで）をＦＦ、後部分（ショパール関節から踵Ｈまで）をＦＲとし、更に、前部分ＦＦにおける甲部をＦＫとする。
【００２７】
尚、使用者Ｕの足Ｆのうち、その前部分ＦＦは、甲部ＦＫやその下方の底部ＦＢの他、各指（親指・人差し指・中指・薬指・小指）を含む一方で、後部分ＦＲは足首下方部分であるとも言える。
特に、使用者Ｕの足Ｆのうち、前部分ＦＦの甲部ＦＫ（上面）と各指の上面（各指の上部）を合わせて、甲部ＦＫ側、又は、上面ＦＪであると言える。
又、使用者Ｕの足Ｆにおける一方の側部ＦＳ１とは、前部分ＦＦの一方の側部（例えば、親指の一方側の側部（内甲側の側部）を含む）と後部分ＦＲの一方の側部を合わせたものであり、足Ｆにおける他方の側部ＦＳ２とは、前部分ＦＦの他方の側部と後部分ＦＲの他方の側部を合わせたものであり、足Ｆにおける底部ＦＢとは、前部分ＦＦの底部と後部分ＦＲの底部を合わせたものであると言える。
【００２８】
＜使用者Ｕの足Ｆの足幅方向Ｓ＞
図２、３に示したように、本発明における使用者Ｕの足Ｆの「足幅方向Ｓ」とは、上述したように、使用者Ｕの足Ｆの上述した足長方向Ｌに対して、当該足長方向Ｌが略沿う水平面内で、略直交する方向であって、一方の側部ＦＳ１から他方の側部ＦＳ２までを少なくとも含む方向を意味する。
詳解すれば、足Ｆの足幅方向Ｓは、上述した使用者Ｕの足Ｆの足長方向Ｌの各位置に応じており、例えば、足Ｆの爪先Ｔ近傍（爪先ＴからＭＰ関節まで）における足幅方向Ｓとは、親指・人差し指・中指・薬指・小指を纏めた部分の一方の側部ＦＳ１（親指の一方側の側部（内甲側の側部））から、親指・人差し指・中指・薬指・小指を纏めた部分の他方の側部ＦＳ２（小指の他方側の側部（外甲側の側部））までを少なくとも含み、足長方向Ｌが略沿う水平面内で、略直交する方向であると言える。
【００２９】
又、足Ｆにおける爪先Ｔ近傍を除いた前部分ＦＦ（ＭＰ関節からショパール関節まで）の足幅方向Ｓとは、当該前部分ＦＦの一方の側部ＦＳ１から、前部分ＦＦの他方の側部ＦＳ２までを少なくとも含み、足長方向Ｌが略沿う水平面内で、略直交する方向であると言える。
一方、足Ｆの後部分ＦＲ（ショパール関節から踵Ｈまで）における足幅方向Ｓとは、後部分ＦＲの一方の側部ＦＳ１から、後部分ＦＲの他方の側部ＦＳ２までを少なくとも含み、足長方向Ｌが略沿う水平面内で、略直交する方向であると言える。
【００３０】
＜使用者Ｕの足Ｆの足囲Ｗ、足囲方向Ｃ＞
図１、２、４に示したように、本発明における使用者Ｕの足Ｆの「足囲（足胴回り）Ｗ」とは、使用者Ｕの足Ｆにおける一方の側部ＦＳ１から底部ＦＢを経由して他方の側部ＦＳ２までを少なくとも含む部分を意味し、更に、甲部ＦＫ側を含んでいても良い。
詳解すれば、足囲Ｗは、上述した使用者Ｕの足Ｆの足長方向Ｌの各位置に応じており、例えば、足Ｆの爪先Ｔ近傍（爪先ＴからＭＰ関節まで）における足囲Ｗとは、親指・人差し指・中指・薬指・小指を纏めた部分の一方の側部ＦＳ１（親指の一方側の側部（内甲側の側部））から、親指・人差し指・中指・薬指・小指の底部ＦＢを経由して、親指・人差し指・中指・薬指・小指を纏めた部分の他方の側部ＦＳ２（小指の他方側の側部（外甲側の側部））も経由して、親指・人差し指・中指・薬指・小指の上面ＦＪ（甲部ＦＫ側）も含み、親指・人差し指・中指・薬指・小指を纏めた部分の一方の側部ＦＳ１まで１周して戻ってくるまでを含む部分であると言える。
【００３１】
又、足Ｆにおける爪先Ｔ近傍を除いた前部分ＦＦ（ＭＰ関節からショパール関節まで）の足囲Ｗとは、当該前部分ＦＦの一方の側部ＦＳ１から、前部分ＦＦにおける底部分（底部ＦＢ）を経由して、前部分ＦＦの他方の側部ＦＳ２も経由して、前部分ＦＦの甲部ＦＫ（上面ＦＪ又は甲部ＦＫ側）も含み、前部分ＦＦの一方の側部ＦＳ１まで１周して戻ってくるまでを含む部分であると言える。
一方、足Ｆの後部分ＦＲから踵Ｈまで（ショパール関節から踵Ｈまで）における足囲Ｗとは、後部分ＦＲの一方の側部ＦＳ１から、後部分ＦＲの底部ＦＢを経由して、後部分ＦＲの他方の側部ＦＳ２までを含む部分と言え、後部分ＦＲの上面は当然含まない（つまり、１周して戻ってはこない）。
【００３２】
よって、本発明における使用者Ｕの足Ｆの「足囲方向（足胴回り方向）Ｃ」は、使用者Ｕの足Ｆにおける一方の側部ＦＳ１から底部ＦＢを経由して他方の側部ＦＳ２までの各表面は少なくとも略沿う周方向（上述の足長方向Ｌを略中心として囲む周方向）であるとも言える。
詳解すれば、足Ｆの爪先Ｔ近傍における足囲方向Ｃとは、親指・人差し指・中指・薬指・小指を纏めた部分の一方の側部ＦＳ１から、親指・人差し指・中指・薬指・小指の底部ＦＢと、親指・人差し指・中指・薬指・小指を纏めた部分の他方の側部ＦＳ２と、親指・人差し指・中指・薬指・小指の上面ＦＪ（甲部ＦＫ側）を経由して、親指・人差し指・中指・薬指・小指を纏めた部分の一方の側部ＦＳ１の各表面まで略沿って戻る（１周回る）周方向であると言える。
【００３３】
又、足Ｆにおける爪先Ｔ近傍を除いた前部分ＦＦの足囲方向Ｃとは、当該前部分ＦＦの一方の側部ＦＳ１から、前部分ＦＦの底部ＦＢと、前部分ＦＦの他方の側部ＦＳ２と、前部分ＦＦの甲部ＦＫ（上面ＦＪ等）を経由して、前部分ＦＦの一方の側部ＦＳ１の各表面まで略沿って戻る（１周回る）周方向であると言える。
一方、足Ｆの後部分ＦＲおける足囲方向Ｃとは、後部分ＦＲの一方の側部ＦＳ１から、後部分ＦＲの底部ＦＢを経由して、後部分ＦＲの他方の側部ＦＳ２までの各表面に略沿う周方向であり、後部分ＦＲの上部は当然略沿わない（つまり、１周回る周方向ではない）。
【００３４】
＜アッパー部材１の足長方向Ｌ’、足長方向長さ１Ｌなど＞
図３、７に示すように、アッパー部材１の足長方向Ｌ’は、当該アッパー部材１が足Ｆを覆った際、その足Ｆの足長方向Ｌに略沿う方向であると言えると共に、アッパー部材１のうち後述の爪先部分１ｔ（爪先部分１ｔ（緯編地２の爪先部分２ｔ）において最も前方へ突出した部分の先端）と踵部分１ｈ（踵部分１ｈ（緯編地２の踵部分２ｈ）において最も後方へ突出した部分の先端）を結ぶ方向であるとも言える。
又、アッパー部材１の足長方向長さ（前後長さ）１Ｌは、当該アッパー部材１が足Ｆを覆った際、当該アッパー部材１における足Ｆの足長方向Ｌに略沿った長さであるとも言えると共に、アッパー部材１における爪先部分１ｔ（爪先部分１ｔにおいて最も前方へ突出した部分の先端）から踵部分１ｈ（踵部分１ｈにおいて最も後方へ突出した部分の先端）までの長さとも言える。
【００３５】
ここで、本発明における「アッパー部材１の足長方向長さ１Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該アッパー部材１の足長方向長さ１Ｌを意味し、当該アッパー部材１に後述する加熱成形をした後におけるアッパー部材１の足長方向長さ１Ｌであっても、当該加熱成形をする前におけるアッパー部材１の足長方向長さ１Ｌであっても良い。
尚、アッパー部材１である一体編成された緯編地２の足長方向Ｌ’が緯編組織のコース方向であり、アッパー部材１（緯編地２）の足長方向長さ１Ｌが緯編組織のコース方向長さである。
【００３６】
＜アッパー部材１の足幅方向Ｓ’など＞
図１、２、４に示すように、アッパー部材１の足幅方向Ｓ’は、当該アッパー部材１が足Ｆを覆った際、その足Ｆの足幅方向Ｓに略沿う方向であると言えると共に、アッパー部材１の上述した足長方向Ｌ’に対して、当該足長方向Ｌ’が略沿う水平面内で、略直交する方向であるとも言える。
尚、アッパー部材１である一体編成された緯編地２の足幅方向Ｓ’が緯編組織のウェール方向である。
【００３７】
＜アッパー部材１の足囲方向Ｃ’、足囲Ｗ’＞
図１、２、４に示すように、アッパー部材１の足囲方向Ｃ’は、当該アッパー部材１が足Ｆを覆った際、その足Ｆの足囲方向Ｃに略沿う方向であり、アッパー部材１の足囲Ｗ’は、当該アッパー部材１が足Ｆを覆った際、その足Ｆの足囲方向Ｃに略沿った長さであるとも言える。
尚、アッパー部材１である一体編成された緯編地２の足囲方向Ｃ’がウェール方向であり、アッパー部材１（緯編地２）の足囲Ｗ’がウェール方向長さである。
【００３８】
＜緯編地２＞
図１〜７に示されたように、緯編地２は、アッパー部材１として立体的に一体編成され、且つ、無縫製であり、この緯編地１枚で、上述した使用者Ｕの足Ｆの全体を覆っている。
つまり、緯編地２は、使用者Ｕの足Ｆの足長方向Ｌにおける全ての位置で、使用者Ｕの足Ｆにおける一方の側部ＦＳ１から底部ＦＢを経由して他方の側部ＦＳ２までを少なくとも含む足胴回りＷを覆っていると言える。
【００３９】
詳解すれば、緯編地２は、使用者Ｕの足Ｆの爪先Ｔ近傍（爪先ＴからＭＰ関節まで）に対しては、親指・人差し指・中指・薬指・小指を纏めた部分の一方の側部ＦＳ１から、親指・人差し指・中指・薬指・小指の底部ＦＢと、親指・人差し指・中指・薬指・小指を纏めた部分の他方の側部ＦＳ２と、親指・人差し指・中指・薬指・小指の上面ＦＪ（甲部ＦＫ側）を経由して、親指・人差し指・中指・薬指・小指を纏めた部分の一方の側部ＦＳ１までを、１周回る部分（有底状で略筒状の前筒部分２ａ）で覆っていると言える。
緯編地２は、足Ｆにおける爪先Ｔ近傍を除いた前部分ＦＦ（ＭＰ関節からショパール関節まで）に対しては、当該前部分ＦＦの一方の側部ＦＳ１から、前部分ＦＦの他方の側部ＦＳ２と、前部分ＦＦの甲部ＦＫ（上面ＦＪ）を経由して、前部分ＦＦの一方の側部ＦＳ１の各表面までを、１周回る部分（略筒状の中筒部分２ｂ）で覆っていると言える。
【００４０】
一方、緯編地２は、足Ｆの後部分ＦＲに対しては、後部分ＦＲの一方の側部ＦＳ１から、後部分ＦＲの底部ＦＢを経由して、後部分ＦＲの他方の側部ＦＳ２までを覆い、後部分ＦＲの上部は当然覆わない（つまり、足Ｆの後部分ＦＲから踵Ｈまでを、１周回らず、上方開口した（履き口２ｇが上方に形成された）有底状の後開口部分２ｃで覆っている）。
このようにアッパー部材１を緯編地２で一体編成し、この緯編地２で、使用者Ｕの足Ｆの足長方向Ｌにおける全ての位置で、使用者Ｕの足Ｆにおける一方の側部ＦＳ１から底部ＦＢを経由して他方の側部ＦＳ２までを少なくとも含む足胴回りＷを覆っている。
【００４１】
ここまで述べたように、使用者Ｕの足Ｆを覆う緯編地２は、一体編成されているのであれば、何れの緯編組織でも良いが、例えば、天竺編（平編）やスムース編（両面編、二重ゴム編）の他、ゴム編、パール編、タック編、浮き編、レース編、両畦編、片畦編、ペレリン編、アイレット編、多衝程両面編、ダブル・ジャージー編、振り編、針抜き編、パイル編、フリース編、添え糸編、からみ添え糸編、ラーベン編、ひねり編、アーガイル編などの緯編組織（丸編組織）であっても良く、この緯編組織は、後述するように、部分的に異なっていても構わず、２種類以上の緯編組織で、１つの緯編地２を編成しても良い（例えば、２種類など）。
又、緯編地２は、上述した緯編組織を複数重ねて、一部又は全部を構成しても（２重緯編地や３重緯編地などでも）良いが、上述した緯編組織１重で構成して、軽量化を図っても構わない。
【００４２】
このように、１つの緯編地２が一体編成されているため、多種の材料を積層せず、又、接着剤も使用しないことから、常に外気を取り入れ易く、靴１００内部の湿気を放出し易く、蒸れを抑制できる。更には、緯編地２は、複数種の糸で一体編成されていることから、交編素材であるとも言え、靴１００内の汗を発散し易く、水に濡れても排水性が良いため、乾燥も速いに優れているため、靴１００内を快適に保ち易いとも言える。
【００４３】
緯編地２は、上述した前筒部分２ａや中筒部分２ｂ、後開口部分２ｃ、履き口２ｇを有し、その他、後述する爪先部分２ｔ、後開口部分２ｃにおける最も後方に位置する部分（踵部分）２ｈを有している。
尚、緯編地２の重量も、特に限定はないが、例えば、１５ｇ以上３５ｇ以下、好ましくは１８ｇ以上３２ｇ以下、更に好ましくは２０ｇ以上３０ｇ以下（２５ｇなど）であっても良い。
【００４４】
＜緯編地２の爪先部分２ｔ・踵部分２ｈなど＞
その他、緯編地２は、使用者Ｕの足Ｆの爪先Ｔ側を覆う爪先部分２ｔや、使用者Ｕの足Ｆの踵Ｈを覆う踵部分２ｈなどを有していても良い。
尚、緯編地２において、上述した爪先部分２ｔと前筒部分２ａと中筒部分２ｂは、合わせて前部分２ｆであり、上述した踵部分２ｈと後開口部分２ｃ、履き口２ｇは、合わせて後部分２ｒであるとも言える。
【００４５】
上述した爪先部分２ｔは、上述した使用者Ｕの足Ｆの爪先ＴからＭＰ関節までを覆う緯編地２の有底状の前筒部分２ａにおいて、足Ｆの爪先Ｔ前方側の略中央位置（足幅方向且つ足厚方向における略中央位置）を覆う部分であり、緯編地２において最も前方へ突出した部分である一方、踵部分２ｈは、緯編地２において最も後方へ突出した部分である。
尚、緯編地２における一方の側部分２ｓ１とは、緯編地２の前部分２ｆの一方の側部分と後部分２ｒの一方の側部分を合わせたものであり、緯編地２における他方の側部分２ｓ２とは、前部分２ｆの他方の側部分と後部分２ｒの他方の側部を合わせたものであり、緯編地２における足裏部分２ｕとは、前部分２ｆの底部と後部分２ｒの底部を合わせたものであると言える。
【００４６】
＜第１の編部２１と、第２の編部２２＞
図１〜７に示されたように、第１の編部２１は、緯編地２の一部であって、後述する第２の編部２２を編成する糸より伸度Ｄが高い糸で編成されている。
これを換言すれば、第２の編部２２も、緯編地２の一部であって、上述した第１の編部２１を編成する糸より伸度Ｄが低い糸で編成されていると言える。
【００４７】
これら第１、２の編部２１、２２のうち、第２の編部２２は、平面視で、上述した使用者Ｕの足Ｆの足幅方向Ｓに蛇行して配置されていると共に、第１の編部２１は、第２の編部２２の隙間に配置されている。
これを換言すれば、第１の編部２１は、平面視で、上述した使用者Ｕの足Ｆにおける一方の側部ＦＳ１から他方の側部ＦＳ２へ又は他方の側部ＦＳ２から一方の側部ＦＳ１へ向いて先細り状に配置されていると共に、第２の編部２２は、第１の編部２１の隙間に配置されているとも言える。
つまり、第１の編部２１と第２の編部２２それぞれが、使用者Ｕの足Ｆの足幅方向Ｓ（足囲方向Ｃ）に略沿いながら、又は、足幅方向Ｓ（足囲方向Ｃ）に対して若干の角度をつけながら、当該使用者Ｕの足Ｆを覆っているとも言える。これと同時に、第１の編部２１と第２の編部２２それぞれが、使用者Ｕの足Ｆにおける足長方向Ｌに沿って略交互に配置されているとも言える。
【００４８】
＜伸度Ｄ＞
このような第１、２の編部２１、２２は、編成される糸の伸度Ｄによって区別されるが、ここで、この伸度Ｄ自体について述べる。
本発明において「伸度Ｄ」とは、緯編地２を編成する糸を、当該糸の長手方向に引っ張った際の伸び易さ（逆に言えば、伸び難さ）を意味する。
尚、この伸度Ｄは、それぞれの編部２１、２２を編成する糸そのものの伸度であるため、「糸伸度Ｄ」とも言える。
【００４９】
例えば、後に詳解する熱融着糸４等が使用される糸に含まれていれば、熱処理（加熱成形など）をすることで、緯編地２（例えば、第２の編部２２）の手触りが硬くなり、硬くなれば当然に緯編地２（第２の編部２２等）自体は伸び難くなることから、伸度Ｄは、硬さを表すとも言える。
又、伸度Ｄは、伸び易さを表現できるのであれば何れでも良いが、例えば、ＪＩＳ−Ｋ−６９００：１９９４に規定された応力−ひずみ曲線（stress-strain curve 、ＳＳカーブ）で表しても良い。
【００５０】
尚、実際に緯編地２に使われる糸においては、伸張する時に必要とされる応力（伸張時のＳＳカーブの形状）と、収縮する時に自然に生じる応力（収縮時のＳＳカーブの形状）が異なる（ヒステリシスループ（履歴曲線）となる）。
よって、このＳＳカーブにあれば、緯編地２に使われる糸において、伸張時に必要な応力と共に、収縮時に生じる応力も把握でき、使用者Ｕが靴１００を履いて緯編地２を伸張する時に必要な応力だけでなく、靴１００を履いた後に、緯編地２が収縮して使用者Ｕの足Ｆを拘束する様子が明確になり、アッパー部材１の伸度Ｄを表すものとして適切であると言える。
【００５１】
ここで、この応力−ひずみ曲線（ＳＳカーブ）は、ＪＩＳ−Ｋ−６９００：１９９４では「応力とひずみの対応する数値を互いに対照させて曲線で表した図表。注−通常応力の数値は縦軸（垂直）に、ひずみの数値は横軸（水平）にプロットされる」と規定されている。
伸度Ｄを示す応力−ひずみ曲線を、例えば、縦軸に応力（単位：Ｎ（ニュートン））とし、横軸に、伸張割合（単位：％）又は伸張長さ（単位：ｍ）としたり、その他、伸度Ｄの単位として、所定の伸張割合（％）又は伸張長さ（ｍ）だけ長手方向に伸張した時における応力（Ｎ（ニュートン））であっても良い。
尚、伸張割合とは、（伸張した時の長さ−伸張前の元の長さ）／伸張前の元の長さで求められる。
【００５２】
又、上述した「ヒステリシスループ（履歴曲線）」は、ＪＩＳ−Ｋ−６９００：１９９４では「材料の周期的変形の間に作り出されるひずみに対する応力（又はこれらの関数）の閉鎖曲線図」と規定されている。
このようなヒステリシスループとなる応力−ひずみ曲線（ＳＳカーブ）で伸度Ｄを表した場合、その高低（大小）関係については、例えば、収縮時の傾き平均値（収縮時の区間におけるＳＳカーブ全体の傾き（例えば、単位はＮ／ｍ）を平均した値）で高低を比較したり、その他、伸張時の傾き平均値（伸張時の区間におけるＳＳカーブ全体の傾きを平均した値）や、収縮時の傾き平均値と伸張時の傾き平均値を足して２で割った値などで高低を比較しても良い。
【００５３】
その他、伸度Ｄを表すものとして、同じくＪＩＳ−Ｋ−６９００：１９９４で規定されたヤング率（引張弾性率）を用いても良い。
ここで、このヤング率は、ＪＩＳ−Ｋ−６９００：１９９４では「応力とひずみの商（割線弾性率）Ｅ＝σ／ε、又は、応力−ひずみ曲線に対する接線（接線弾性率）Ｅ＝ｄσ／ｄε」と規定されている。
【００５４】
尚、上記式中の「σ」とは、ＪＩＳ−Ｋ−６９００：１９９４において「応力（stress）」と規定され、「物体内部のある一点を通る一定の平面の単位面積に作用する内力又は内力の成分のその点における強さ」を意味しており、又、上記式中の「ε」とは、ＪＩＳ−Ｋ−６９００：１９９４において「ひずみ（strain）」と規定され、「物体のもとの寸法又は形状と比べた外力に基づく長さの寸法又は形状における変化」を意味する。
このヤング率の単位は、Ｎ（ニュートン）／ｍ2 （平方メートル）などとなる。
【００５５】
このようなヤング率は、上述した応力−ひずみ曲線（ＳＳカーブ）において言えば、例えば、収縮時や伸張時におけるＳＳカーブの傾きや、ヒステリシスループとなるＳＳカーブ上の任意の点における接線の傾きを意味することとなり、何れの区間や何れの点とするかで値が違ってくる。
従って、ヤング率で伸度Ｄを表した場合、その高低関係についても、例えば、ヒステリシスループの収縮時の傾き平均値を表すヤング率同士で高低を比較したり、伸張時の傾き平均値を表すヤング率同士や、収縮時の傾き平均値と伸張時の傾き平均値を表す各ヤング率を足して２で割った値同士、ヒステリシスループ上の所定の点における接線の傾きを表すヤング率同士などで高低を比較することとなる。
【００５６】
このような伸度（糸伸度）Ｄが異なる糸で編成された第１、２の編部２１、２２のうち、より伸度Ｄが高い糸で編成された第１の編部２１は「高伸度部２１」であるとも言え、より伸度Ｄが低い糸で編成された第２の編部２２は「低伸度部２２」であるとも言える。
尚、第１の編部（高伸度部）２１や、第２の編部（低伸度部）２２のような編部そのものとしての伸度は、「編部伸度Ｄ’」であるとも言える。
この「編部伸度Ｄ’」は、第１、２の編部２１、２２のような編部そのものを、所定方向（緯編地２の足長方向Ｌ’（コース方向）又は足囲方向Ｃ’（ウェール方向））に引っ張った際の伸び易さ（逆に言えば、伸び難さ）を意味するとも言え、上述した応力−ひずみ曲線（stress-strain curve 、ＳＳカーブ）や、ヤング率（引張弾性率）を用いて表したり、その他、部分伸度Ｄ’の単位として、所定の伸張割合（％）又は伸張長さ（ｍ）だけ所定の方向（例えば、足囲方向Ｃ’（ウェール方向））に伸張した時における所定の幅（例えば、５０ｍｍ）当りの応力（例えば、Ｎ（ニュートン）／５０ｍｍ）であっても良い。
【００５７】
このような「編部伸度Ｄ’」は、それぞれを編成する糸自体の糸伸度Ｄが異なることによって生じるが、この糸伸度Ｄ以外に、各編部２１、２２としての構成（形状・配置・緯編組織や、編部を編成する編目（ループ）の大きさ・数等）が異なることによっても生じるとも言え、各編部２１、２２ごとに機能を持たせることも出来る。
そこで、第１の編部（高伸度部）２１や、第２の編部（低伸度部）２２のそれぞれの構成について、以下に詳解する。
【００５８】
＜第１の編部（高伸度部）２１＞
図１〜７に示したり、上述したように、より伸度Ｄ（糸伸度Ｄや、編部伸度Ｄ’）が高い第１の編部（高伸度部）２１は、平面視で、上述した使用者Ｕの足Ｆにおける一方の側部ＦＳ１から他方の側部ＦＳ２へ又は他方の側部ＦＳ２から一方の側部ＦＳ１へ向いて先細り状に配置されている（換言すれば、高伸度部２１は、後述する第２の編部（低伸度部）２２の隙間（複数の低伸度部２２に挟まれていたり、低伸度部２２のそば）に配置されている）。
ここで、高伸度部２１が「平面視で、使用者Ｕの足Ｆにおける一方の側部ＦＳ１から他方の側部ＦＳ２へ又は他方の側部ＦＳ２から一方の側部ＦＳ１へ向いて先細り状に配置されている」とは、高伸度部２１は、緯編地２を上から視た平面視（上面部分２ｊ（甲部分２ｋ）側）で、足Ｆにおける一方の側部ＦＳ１（緯編地２の一方の側部分２ｓ１）から他方の側部ＦＳ２（緯編地２の他方の側部分２ｓ２）へ、又は、他方の側部ＦＳ２（緯編地２の他方の側部分２ｓ２）から一方の側部ＦＳ１（緯編地２の一方の側部分２ｓ１）へ向いて先細ることを意味する。
【００５９】
又、高伸度部２１は、緯編地２の足幅方向Ｓ’のうち何れかの方向に略沿う方向、又は、足幅方向Ｓ’に対して若干の角度をつけた方向に向いて先細っているとも言え、途中で先細り方向が屈曲していても良い。
この先細る高伸度部２１は、この先細り方向が、緯編地２としてのウェール方向（足幅方向Ｓ’）と略同一であるが、高伸度部２１の先端部分の幅（緯編地２としてのコース方向である足長方向長さ）は、当該高伸度部２１を編成する糸（高伸度糸）が１本（緯編地２としての１コース）だけの幅狭としても良く、先端部分とは逆の基端部分は、当該高伸度部２１を編成する糸が複数本（緯編地２としての複数コース）の幅広としても良い。
【００６０】
このように、高伸度部２１における先端部分を幅狭にし、基端部分を幅広にすることで、後述する低伸度部（第２の編部）２２を、足厚方向等に対して斜めに配置させることが可能となる。
特に、ここまで述べた高伸度部２１を有するアッパー部材１が後述するソール部材３０に取り付けられた際に、当該取り付けたソール部材３０近傍（ソール部材３０との接合面近傍）のアッパー部材１における高伸度部２１の幅（つまり、高伸度部２１を編成する糸の本数）は、少なくとも３コース（３本）以上であっても良い。
【００６１】
又、高伸度部２１を編成する糸と同じ１本の糸が、後述する第２の編部（低伸度部）２２内で、途切れ途切れに（点在して）配置されていても良いが、このように１本で点在する糸は、たとえ高伸度部２１を編成する糸と同じ糸であっても、高伸度部２１の一部ではないとも言える。
高伸度部２１は、当該足Ｆの足幅方向Ｓ（緯編地２の足幅方向Ｓ’）に略沿って、所定の足幅方向範囲に配置されている。
【００６２】
ここで、「所定の足幅方向範囲」とは、高伸度部２１の一方端から他方端まで（又は他方端から一方端まで）の足幅方向Ｓ’に略沿った範囲となる。
又、高伸度部２１の一方端位置や他方端位置は、特に限定はないが、例えば、その一方端位置は、緯編地２における一方の側部分２ｓ１における外端や、当該外端から所定の足幅方向長さだけ他方の側部分２ｓ２寄りに離れた位置であっても良く、他方端位置は、緯編地２における他方の側部分２ｓ２における外端や、当該外端から所定の足幅方向長さだけ一方の側部分２ｓ１側寄りに離れた位置であっても構わない。
【００６３】
このような高伸度部２１の足幅方向範囲は、当該高伸度部２１を編成する糸（高伸度糸）の引き返しの距離・数・位置や、各編目（ループ）の数・大きさ等によって決まると言える。
更に、高伸度部２１は、１つの緯編地２に対して複数あり、当該足Ｆの足長方向Ｌ（緯編地２の足長方向Ｌ’）に略沿って、繰り返し配置されている。
【００６４】
又、高伸度部２１は、当該足Ｆの足長方向Ｌ（緯編地２の足長方向Ｌ’）に略沿って、所定の足長方向範囲に配置されている。
ここで、「所定の足長方向範囲」とは、最も前（爪先部分２ｔ）側に配置された高伸度部２１の前端から、最も後（踵部分２ｈ）側に配置された高伸度部２１の後端までの足長方向Ｌ’に略沿った範囲となる。
【００６５】
又、高伸度部２１の前端位置や後端位置は、特に限定はないが、例えば、その前端位置は、緯編地２の先端（爪先部分２ｔの先端）から所定の足長方向長さだけ後方寄り離れた位置などであっても良く、後端位置は、緯編地２における前部分２ｆ（中筒部分２ｂ）の後端や、後部分２ｒにかかる位置などであっても構わない。
尚、高伸度部（第１の編部）２１における足幅方向範囲や足長方向範囲（後述する底部ＦＢ側の高伸度部２１の各範囲も含む）は、後述する低伸度部（第２の編部）２２における足幅方向範囲や足長方向範囲と略同一であるとも言える。
【００６６】
ここまでは、緯編地２を上から視た平面視（上面部分２ｊ（甲部分２ｋ）側）における高伸度部２１を述べたが、以下では、高伸度部２１の底部ＦＢ（足裏部分２ｕ）側について述べる。
高伸度部２１の底部ＦＢ側は、緯編地２を下から視た底面視で、足Ｆにおける一方の側部ＦＳ１（緯編地２の一方の側部分２ｓ１）から他方の側部ＦＳ２（緯編地２の他方の側部分２ｓ２）へ、又は、他方の側部ＦＳ２（緯編地２の他方の側部分２ｓ２）から一方の側部ＦＳ１（緯編地２の一方の側部分２ｓ１）へ向いて延びていても良い。
【００６７】
又、高伸度部２１は、底部ＦＢ側においても、緯編地２の足幅方向Ｓ’のうち何れかの方向に略沿う方向、又は、足幅方向Ｓ’に対して若干の角度をつけた方向に向いて延びているとも言え、途中で先細り方向が屈曲していても良い。
底部ＦＢ側における高伸度部２１は、甲部ＦＫ側の高伸度部２１と、一方や他方の側部分２ｓ１、２ｓ２で連続していても良い。
【００６８】
底部ＦＢ側における高伸度部２１は、所定の幅（緯編地２としてのコース方向である足長方向長さ）を有しており、この幅は、緯編地２の足裏部分２ｕにおける足幅方向Ｓ’の略中央寄りが、幅狭になって（コース数が少なくなって）いても良い。
更に、底部ＦＢ側における高伸度部２１も、当該足Ｆの足幅方向Ｓ（緯編地２の足幅方向Ｓ’）に略沿って、所定の足幅方向範囲に配置されている。
【００６９】
ここでも、「所定の足幅方向範囲」とは、高伸度部２１の一方端から他方端まで（又は他方端から一方端まで）の足幅方向Ｓ’に略沿った範囲となる。
高伸度部２１の一方端位置や他方端位置は、底部ＦＢ側においても、特に限定はなく、例えば、その一方端位置や他方端位置は、甲部ＦＫ側と同様に、緯編地２における一方の側部分２ｓ１における外端や、当該外端から所定の足幅方向長さだけ他方の側部分２ｓ２寄りに離れた位置であっても良く、他方端位置は、緯編地２における他方の側部分２ｓ２における外端や、当該外端から所定の足幅方向長さだけ一方の側部分２ｓ１側寄りに離れた位置であっても構わない。
【００７０】
高伸度部２１の足幅方向範囲は、底部ＦＢ側でも、当該高伸度部２１を編成する糸（高伸度糸）の引き返しの距離・数・位置や、各編目（ループ）の数・大きさ等によって決まる。
底部ＦＢ側の高伸度部２１も、１つの緯編地２に対して複数あり、当該足Ｆの足長方向Ｌ（緯編地２の足長方向Ｌ’）に略沿って、繰り返し配置されている。
尚、底部ＦＢ側における複数の高伸度部２１は、緯編地２の一方や他方の側部分２ｓ１、２ｓ２の外端から、足裏部分２ｕの足幅方向Ｓ’の略中央部に向かって延びる際に、緯編地２の足長方向Ｌ’に互い違いに（足長方向Ｌ’にズレて）配置されていても良い。
【００７１】
又、底部ＦＢ側の高伸度部２１も、当該足Ｆの足長方向Ｌ（緯編地２の足長方向Ｌ’）に略沿って、所定の足長方向範囲に配置されている。
尚、底部ＦＢ側においても、「所定の足長方向範囲」とは、最も前（爪先部分２ｔ）側に配置された高伸度部２１の前端から、最も後（踵部分２ｈ）側に配置された高伸度部２１の後端までの足長方向Ｌ’に略沿った範囲となる。
【００７２】
高伸度部２１は、その一部が、上面ＦＪ側及び底部ＦＢ側において、所定の足幅方向長さ・所定の足長方向長さに亘って、伸度Ｄ（編部伸度Ｄ’）が異なる部分を有していても良い。
このような高伸度部２１中の伸度Ｄが異なる部分は、高伸度部２１を編成する糸（高伸度糸）の各編目（ループ）の数・大きさを、他の部分と異なるようにしたり、後述する浮編組織５を足長方向Ｌ’に略沿わせることによって設けても良い。
【００７３】
＜高伸度糸＞
ここまで述べた高伸度部（第１の編部）２１を編成する糸（高伸度糸）については、後述する低伸度部（第２の編部）２２を編成する糸（低伸度糸）より伸度（糸伸度）Ｄが高ければ、その他は特に限定はないが、例えば、ポリウレタン（ＰＵ）樹脂製の糸とゴム製の糸の少なくとも一方を含んでいても良い。
又、高伸度糸は、芯糸に対して鞘糸を巻き付けたカバリング構造であっても良い。
【００７４】
尚、高伸度糸がカバリング構造である場合、芯糸が、ポリウレタン樹脂製の糸やゴム製の糸であって、鞘糸が、ポリエステル樹脂（例えば、ポリエチレンテレフタレート（ＰＥＴ）樹脂など）の熱融着糸であっても良い。
更に、高伸度部２１を編成する高伸度糸としては、後述する熱融着性部分を有した熱融着糸を含んでいたり、その他の素材の糸を含んでいても良い。
【００７５】
高伸度糸の伸度（糸伸度）Ｄは、後述する第２の編部（低伸度部）２２を編成する糸（低伸度糸）より、糸伸度Ｄが高ければ、その具体的な値に、特に限定はないが、例えば、高伸度糸が長手方向に１５％伸張した時の応力（単位：Ｎ（ニュートン））が、０．０１Ｎ以上５．００Ｎ以下、好ましくは０．０２Ｎ以上３．００Ｎ以下、更に好ましくは０．０３Ｎ以上２．００Ｎ以下であっても良い。
又、この高伸度糸で編成された高伸度部（第１の編部）２１としての部分伸度Ｄ’も、その具体的な値に、特に限定はないが、例えば、幅（生地幅）５０ｍｍの高伸度部２１が足囲方向Ｃ’（ウェール方向）に１５％伸張した時の応力（単位：Ｎ（ニュートン）／５０ｍｍ）が、１．００Ｎ／５０ｍｍｍ以上３０．００Ｎ／５０ｍｍ以下、好ましくは３．００Ｎ／５０ｍｍ以上２０．００Ｎ／５０ｍｍ以下、更に好ましくは５．００Ｎ／５０ｍｍ以上１５．００Ｎ／５０ｍｍ以下であっても良い。
【００７６】
＜第２の編部（低伸度部）２２＞
図１〜７に示したり、上述したように、より伸度Ｄ（糸伸度Ｄや、編部伸度Ｄ’）が低い第２の編部（低伸度部）２２は、平面視で、上述した使用者Ｕの足Ｆの足幅方向Ｓに蛇行して配置されている（換言すれば、低伸度部２２は、上述した第１の編部（高伸度部）２１の隙間（複数の高伸度部２１に挟まれていたり、高伸度部２１のそば）に配置されている）。
ここで、低伸度部２２が「平面視で、使用者Ｕの足Ｆの足幅方向Ｓに蛇行して配置されている」とは、低伸度部２２が、緯編地２（アッパー部材１）を上から視た平面視（上面部分２ｊ（甲部分２ｋ）側）で、使用者Ｕの足Ｆにおいて、一方の側部ＦＳ１から他方の側部ＦＳ２に向いて延びた後に他方の側部ＦＳ２から一方の側部ＦＳ１に向いて延び、又は、他方の側部ＦＳ２から一方の側部ＦＳ１に向いて延びた後に一方の側部ＦＳ１から他方の側部ＦＳ２に向いて延びる（換言すれば、ジグザク状になる）部分が、当該足Ｆの足長方向Ｌに沿って、所定の足長方向範囲（所定回数）だけ繰り返すことを意味する。
【００７７】
又、低伸度部２２は、緯編地２の足幅方向Ｓ’のうち何れかの方向に略沿う方向、又は、足幅方向Ｓ’に対して若干の角度をつけた方向に向いて延びるとも言え、途中で延びる方向が屈曲していても良い。
このような低伸度部２２は、この延びる方向が、緯編地２としてのウェール方向（足幅方向Ｓ’）と略同一であり、低伸度部２２の幅（緯編地２としてのコース方向である足長方向長さ）は、当該低伸度部２２を編成する糸（低伸度糸）の本数（緯編地２としてのコース数）によって決まる。
【００７８】
低伸度部２２も、高伸度部２１と同様に、当該足Ｆの足幅方向Ｓ（緯編地２の足幅方向Ｓ’）に略沿って、所定の足幅方向範囲に配置されている。
ここで、「所定の足幅方向範囲」とは、低伸度部２２の一方端から他方端まで（又は他方端から一方端まで）の足幅方向Ｓ’に略沿った範囲となる。
【００７９】
又、低伸度部２２の一方端位置や他方端位置は、特に限定はないが、高伸度部２１と同様で、例えば、その一方端位置は、緯編地２における一方の側部分２ｓ１における外端や、当該外端から所定の足幅方向長さだけ他方の側部分２ｓ２寄りに離れた位置であっても良く、他方端位置は、緯編地２における他方の側部分２ｓ２における外端や、当該外端から所定の足幅方向長さだけ一方の側部分２ｓ１側寄りに離れた位置であっても構わない。
以下では、低伸度部２２の足幅方向範囲は、緯編地２における一方の側部分２ｓ１における外端から、緯編地２における他方の側部分２ｓ２における外端まで（一方端位置は緯編地２における一方の側部分２ｓ１における外端で、他方端位置も緯編地２における他方の側部分２ｓ２における外端である）として述べる。
【００８０】
低伸度部２２も、高伸度部２１と同様に、１つの緯編地２に対して複数あり、当該足Ｆの足長方向Ｌ（緯編地２の足長方向Ｌ’）に略沿って、繰り返し配置されている。
又、低伸度部２２も、高伸度部２１と同様に、当該足Ｆの足長方向Ｌ（緯編地２の足長方向Ｌ’）に略沿って、所定の足長方向範囲に配置されている。
ここで、「所定の足長方向範囲」とは、最も前（爪先部分２ｔ）側に配置された低伸度部２２の前端から、最も後（踵部分２ｈ）側に配置された低伸度部２２の後端までの足長方向Ｌ’に略沿った範囲となる。
【００８１】
又、低伸度部２２の前端位置や後端位置も、高伸度部２１と同様に、特に限定はないが、例えば、その前端位置は、緯編地２の先端（爪先部分２ｔの先端）から所定の足長方向長さだけ後方寄り離れた位置などであっても良く、後端位置は、緯編地２における前部分２ｆ（中筒部分２ｂ）の後端や、後部分２ｒにかかる位置などであっても構わない。
尚、低伸度部（第２の編部）２２における足幅方向範囲や足長方向範囲（後述する底部ＦＢ側の低伸度部２２の各範囲も含む）は、上述した高伸度部（第１の編部）２１における足幅方向範囲や足長方向範囲と略同一であるとも言える。
【００８２】
ここまでは、緯編地２を上から視た平面視（上面部分２ｊ（甲部分２ｋ）側）における低伸度部２２を述べたが、以下では、低伸度部２２の底部ＦＢ（足裏部分２ｕ）側について述べる。
低伸度部２２の底部ＦＢ側も、高伸度部２１と同様に、緯編地２を下から視た底面視で、足Ｆにおける一方の側部ＦＳ１（緯編地２の一方の側部分２ｓ１）から他方の側部ＦＳ２（緯編地２の他方の側部分２ｓ２）へ、又は、他方の側部ＦＳ２（緯編地２の他方の側部分２ｓ２）から一方の側部ＦＳ１（緯編地２の一方の側部分２ｓ１）へ向いて延びていても良い。
【００８３】
又、低伸度部２２は、底部ＦＢ側においても、緯編地２の足幅方向Ｓ’のうち何れかの方向に略沿う方向、又は、足幅方向Ｓ’に対して若干の角度をつけた方向に向いて延びているとも言え、途中で延びる方向が屈曲していても良い。
底部ＦＢ側における低伸度部２２は、甲部ＦＫ側の低伸度部２２と、一方や他方の側部分２ｓ１、２ｓ２で連続していても良い。
【００８４】
底部ＦＢ側における低伸度部２２も、高伸度部２１と同様に、所定の幅（緯編地２としてのコース方向である足長方向長さ）を有しているが、この幅が途中で変化しても良い。
更に、底部ＦＢ側における低伸度部２２も、当該足Ｆの足幅方向Ｓ（緯編地２の足幅方向Ｓ’）に略沿って、所定の足幅方向範囲に配置されている。
【００８５】
ここでも、「所定の足幅方向範囲」とは、低伸度部２２の一方端から他方端まで（又は他方端から一方端まで）の足幅方向Ｓ’に略沿った範囲となる。
低伸度部２２の一方端位置や他方端位置は、底部ＦＢ側においても、高伸度部２１と同様で、特に限定はなく、例えば、その一方端位置や他方端位置は、甲部ＦＫ側と同様に、緯編地２における一方の側部分２ｓ１における外端や、当該外端から所定の足幅方向長さだけ他方の側部分２ｓ２寄りに離れた位置であっても良く、他方端位置は、緯編地２における他方の側部分２ｓ２における外端や、当該外端から所定の足幅方向長さだけ一方の側部分２ｓ１側寄りに離れた位置であっても構わない。
【００８６】
底部ＦＢ側の低伸度部２２も、１つの緯編地２に対して複数あり、当該足Ｆの足長方向Ｌ（緯編地２の足長方向Ｌ’）に略沿って、繰り返し配置されることとなる。
尚、底部ＦＢ側における複数の低伸度部２２は、緯編地２の一方や他方の側部分２ｓ１、２ｓ２の外端から、足裏部分２ｕの足幅方向Ｓ’の略中央部に向かって延びる際に、緯編地２の足長方向Ｌ’に互い違いに（足長方向Ｌ’にズレて）配置されていても良い。
【００８７】
又、底部ＦＢ側の低伸度部２２も、当該足Ｆの足長方向Ｌ（緯編地２の足長方向Ｌ’）に略沿って、所定の足長方向範囲に配置されている。
尚、底部ＦＢ側においても、「所定の足長方向範囲」とは、最も前（爪先部分２ｔ）側に配置された低伸度部２２の前端から、最も後（踵部分２ｈ）側に配置された低伸度部２２の後端までの足長方向Ｌ’に略沿った範囲となる。
【００８８】
低伸度部２２は、高伸度部２１と同様に、その一部が、上面ＦＪ側及び底部ＦＢ側において、所定の足幅方向長さ・所定の足長方向長さに亘って、伸度Ｄ（編部伸度Ｄ’）が異なる部分を有していても良い。
このような低伸度部２２中の伸度Ｄが異なる部分は、低伸度部２２を編成する糸（低伸度糸）の各編目（ループ）の数・大きさを、他の部分と異なるようにしたり、後述する浮編組織５によって設けても良い。
【００８９】
＜熱融着糸４、低伸度糸＞
ここまで述べた第２の編部（低伸度部）２２を編成する糸（低伸度糸）としては、熱融着性部分を有した熱融着糸４を含んでいても良い（この熱融着糸４を含むことで、低伸度部２２がアッパー部材１（緯編地２）を補強する補強材となるとも言える）。
尚、「低伸度部２２がアッパー部材１を補強する」とは、低伸度部２２でアッパー部材１を支える（又は、アッパー部材１全体としての過度の伸びを抑えて、当該アッパー部材１の形状を保つ（型崩れを抑える））ことを意味するとも言える。
そこで、以下は、熱融着糸４について述べる。
【００９０】
熱融着糸４は、上述した第２の編部（低伸度部）２２等に使われる糸の１種である（つまり、熱融着糸４は、低伸度部２２を編成する低伸度糸に含まれている）。
熱融着糸４は、熱融着性部分を有している。
【００９１】
従って、熱融着糸４は、緯編地２（アッパー部材１）に熱処理（加熱成形など）をすることによって熱融着性部分が溶融し、熱融着糸４における後述の含有率等に応じて、低伸度部２２の伸度Ｄ（編部伸度Ｄ’）を所定の値とし、補強材を構成することが出来る。
このような熱融着糸４は、全て熱融着性部分であっても良いが、熱融着性部分以外の部分（非熱融着性部分）も有していても良い。
そこで、まず熱融着性部分等について述べる。
【００９２】
＜熱融着性部分＞
熱融着糸４における熱融着性部分は、熱処理をすることで溶融する部分であって、熱融着糸４が非熱融着性部分も有している場合には、熱融着性部分は、当然、非熱融着性部分より融点が低くなる。
この熱融着性部分や非熱融着性部分の素材は、特に限定はないが、例えば、熱融着性部分と非熱融着性部分が、ポリエチレン（ＰＥ）樹脂とポリプロピレン（ＰＰ）樹脂であっても良い。
【００９３】
この他の素材としては、熱融着性部分と非熱融着性部分が、ポリエステル樹脂（ポリエチレンテレフタレート（ＰＥＴ）樹脂、ポリトリメチレンテレフタレート（ＰＴＴ）樹脂、ポリブチレンテレフタレート（ＰＢＴ）樹脂など）とポリエチレン（ＰＥ）樹脂やポリアミド（ナイロン）樹脂であったり、通常のポリエステル樹脂（高融点ポリエステル樹脂）と低融点ポリエステル樹脂などであっても構わない。
このような熱融着性部分と非熱融着性部分が、１本の熱融着糸４において所定の割合（含有率）で存在するものとしても良い。
【００９４】
熱融着糸４は、熱融着性部分を有するのであれば、何れの構成でも良いが、例えば、芯鞘構造や、後述するカバリング構造などでも良い。
例えば、熱融着糸４が芯鞘構造であれば、融点の異なる熱融着性部分と非熱融着性部分のうち、融点がより高い非熱融着性部分を芯とし、融点がより低い熱融着性部分を鞘として、１本の糸（単繊維）中に芯と鞘の状態で紡糸することで形成される。
又、熱融着糸４がカバリング構造であれば、非熱融着性部分である芯糸に対して、熱融着性部分である鞘糸を巻き付けた構造となる。
【００９５】
熱融着糸（低伸度糸）４の伸度（糸伸度）Ｄは、上述した第１の編部（高伸度部）２１を編成する糸（高伸度糸）より、糸伸度Ｄが低ければ、その具体的な値に、特に限定はないが、例えば、熱融着糸４が長手方向に１５％伸張した時の応力（単位：Ｎ（ニュートン））が、０．０１Ｎ以上１０．００Ｎ以下、好ましくは０．０５Ｎ以上７．００Ｎ以下、更に好ましくは０．０７Ｎ以上５．００Ｎ以下であっても良い。
又、この熱融着糸４で編成された第２の編部（低伸度部）２２としての部分伸度Ｄ’も、その具体的な値に、特に限定はないが、例えば、幅（生地幅）５０ｍｍの低伸度部２２が足囲方向Ｃ’（ウェール方向）に１５％伸張した時の応力（単位：Ｎ（ニュートン）／５０ｍｍ）が、３．００Ｎ／５０ｍｍ以上５０．００Ｎ／５０ｍｍ以下、好ましくは７．００Ｎ／５０ｍｍ以上３０．００Ｎ／５０ｍｍ以下、更に好ましくは１０．００Ｎ／５０ｍｍ以上２０．００Ｎ／５０ｍｍ以下であっても良い。
【００９６】
更に、高伸度糸の糸伸度Ｄから、熱融着糸（低伸度糸）４の糸伸度Ｄを引いた値（つまり、第１の編部（高伸度部）２１と第２の編部（低伸度部）２２との糸伸度Ｄの差（糸伸度差）ΔＤ）も、０より大きければ、その具体的な値に、特に限定はないが、例えば、各糸が長手方向に１５％伸張した時の応力（単位：Ｎ（ニュートン））の糸伸度差ΔＤが、０．０１Ｎ以上５．００Ｎ以下、好ましくは０．０３Ｎ以上４．００Ｎ以下、更に好ましくは０．０４Ｎ以上３．００Ｎ以下であっても良い。
又、第１の編部（高伸度部）２１の部分伸度Ｄ’から、第２の編部（低伸度部）２２の部分伸度Ｄ’を引いた値（つまり、第１の編部（高伸度部）２１と第２の編部（低伸度部）２２との部分伸度Ｄ’の差（部分伸度差）ΔＤ’）も、０より大きければ、その具体的な値に、特に限定はないが、例えば、幅（生地幅）５０ｍｍの各編部（各生地）が足囲方向Ｃ’（ウェール方向）に１５％伸張した時の応力（単位：Ｎ（ニュートン）／５０ｍｍ）の部分伸度差ΔＤ’が、２．００Ｎ／５０ｍｍ以上２０．００Ｎ／５０ｍｍ以下、好ましくは４．００Ｎ／５０ｍｍ以上１０．００Ｎ／５０ｍｍ以下、更に好ましくは５．００Ｎ／５０ｍｍ以上８．００Ｎ／５０ｍｍ以下であっても良い。
【００９７】
＜シューホール３＞
上述した第２の編部（低伸度部）２２には、シューホール３が形成されていても良い。
このシューホール３について、以下に詳解する。
【００９８】
図１〜７に示されたように、シューホール３は、緯編地２（アッパー部材１）を貫通して当該アッパー部材１の外側とその内側（使用者Ｕの足Ｆ側）を繋げる孔であって、靴１００のシューレース（靴紐）１０１を挿通する。
このシューホール３を有する場合には、第２の編部（低伸度部）２２に形成されていれば、その他、何れの箇所に設けられていても良い。
【００９９】
シューホール３は、緯編地２を貫通するのであれば、その形状・大きさ・構成・数に限定はないが、例えば、形状については、丸孔状（略真円形状）や長孔状（略楕円形状）であっても良い。
特に、シューホール３が長孔状である場合、その長軸の方向も、特に限定はないが、例えば、使用者Ｕの足Ｆの足囲方向Ｃ（緯編地２の足囲方向Ｃ’）や、第２の編部（低伸度部）２２の延びる方向に沿略っていても良い。又、シューホール３が長孔状である場合、後述するシューレース１０１を１本だけでなく複数本、挿通することが出来るとも言える。
【０１００】
シューホール３の大きさも、特に限定はないが、例えば、シューホール３が丸孔状であれば、その直径は３ｍｍ以上６ｍｍ以下であったり、シューホール３が長孔状であれば、その長径は３ｍｍ以上１０ｍｍ以下、短径は３ｍｍ以上６ｍｍ以下であっても良い。
又、シューホール３の大きさは、足囲方向Ｃ’の長さが、当該シューホール３を構成する編目（ループ）の数によって決まり、足長方向Ｌ’の長さが、緯編地２におけるコース数によって決まるとも言え、それらの数も特に限定はないが、例えば、編目の数であれば３個以上１０個以下、コース数であれば３コース以上６コース以下であっても良い。
【０１０１】
シューホール３の構成（緯編組織）も、特に限定はないが、例えば、当該シューホール３を伏せ目によって編成しても良い。
尚、シューホール３を伏せ目で編成した場合には、当該シューホール３において、この伏せ目と対向する側は、掛け目となるとも言える。
【０１０２】
この他、シューホール３は、寄せ目によって編成されていたり、パンチングによって設けられていても良い。
又、シューホール３は、その孔の周縁を樹脂で補強していたり、ハトメ（鳩目）その他の樹脂製、金属製等の部材を嵌め込んでいても良い。
【０１０３】
シューホール３は、１つの緯編地２に対して、左右一対に複数が足長方向Ｌ’に略沿って列を成すように設けられていても良く、シューホール３の個数も、特に限定はないが、左右の例でそれぞれ３個以上１５個以下（１０個など）であっても良い。
【０１０４】
＜靴１００の全体構成＞
図７には、本発明に係る靴１００が示されている。
この靴１００は、使用者Ｕが履くものであり、当該使用者Ｕの足Ｆを覆うこととなる。
【０１０５】
靴１００は、上述したアッパー部材１と、このアッパー部材１を取り付けるソール部材３０を備えており、その他、シューレース１０１等を備えていても良い。
又、靴１００全体としての重量も、特に限定はないが、例えば、８０ｇ以上１７０ｇ以下、好ましくは１００ｇ以上１５０ｇ以下、更に好ましくは１１０ｇ以上１４０ｇ以下（１２５ｇなど）であっても良い。
【０１０６】
＜ソール部材３０＞
図７に示すように、ソール部材３０は、靴１００において、上述のアッパー部材１の下方から取り付けられる（貼り付けられる）部材である。
ソール部材３０は、その素材について、特に限定はないが、例えば、合成ゴムや、エチレン・酢酸ビニル共重合（ＥＶＡ）樹脂、ポリウレタン（ＰＵ）樹脂などの合成樹脂、又は、合成ゴムや、エチレン・酢酸ビニル共重合樹脂、ポリウレタン樹脂などの合成樹脂を発泡させたもの、天然ゴム、天然皮革などであっても良い。
【０１０７】
ソール部材３０は、その硬さ（例えば、上述した伸度Ｄ）についても、特に限定はないが、例えば、アッパー部材１より硬く（アッパー部材１より伸度Ｄが低く）構成されていても良い（アッパー部材１のみでは靴１００を使用し難いため）。
ソール部材３０の形状などは、靴１００の使用用途に応じて、特に限定はない。
ソール部材３０の重量も、特に限定はないが、例えば、７０ｇ以上１３０ｇ以下、好ましくは８０ｇ以上１２０ｇ以下、更に好ましくは９０ｇ以上１１０ｇ以下（１００ｇなど）であっても良い。
【０１０８】
＜ソール部材３０の足長方向長さ３０Ｌ＞
ソール部材３０の足長方向長さ３０Ｌは、特に限定はないが、例えば、上述したアッパー部材１の足長方向長さ１Ｌより長くても構わない。
このように、ソール部材３０の足長方向長さ３０Ｌを、アッパー部材１の足長方向長さ１Ｌより長くすることによって、アッパー部材１をソール部材３０に取り付けた際に、アッパー部材１全体で、使用者Ｕの足Ｆを緩やかに拘束でき、使用者Ｕが靴１００を履いた際に、使用者Ｕの足Ｆの皮膚に、アッパー部材１を更に追従させ易くなる。
ここで、本発明における「ソール部材３０の足長方向長さ３０Ｌ」とは、アッパー部材１をソール部材３０に取り付ける前（アッパー部材１が単独で存在している時（一旦、アッパー部材１をソール部材３０に取り付けた後に、敢えてソール部材３０から取り外した時も含む））の当該ソール部材３０の足長方向長さ３０Ｌを意味する。
【０１０９】
＜シューレース１０１＞
図７に示すように、シューレース（靴紐）１０１は、アッパー部材１において、上述したシューホール３に挿通する紐状の部材である。
シューレース１０１は、シューホール３に挿通することが出来るのであれば、何れの色・素材・幅（太さ）・長さ・断面形状・構成（平紐等）であっても良い。
【０１１０】
シューレース１０１のシューホール３への挿通には、特に限定はないが、例えば、１つのシューホール３に対して、シューレース１０１を１本だけ挿通したり、複数本、挿通しても良い。
又、複数のシューホール３に対するシューレース１０１の挿通についても、隣接するシューホール３それぞれに（飛ばさずに）挿通したり、隣接するシューホール３のうち１つ又は複数だけ飛ばして挿通しても良い。
【０１１１】
＜その他＞
本発明は、前述した実施形態に限定されるものではない。アッパー部材１、靴１００等の各構成又は全体の構造、形状、寸法などは、本発明の趣旨に沿って適宜変更することが出来る。
アッパー部材１（緯編地２）は、左右の区別なく編成されて、同一形状の２つのアッパー部材１に対して、左右何れのソール部材３０を取り付けても良く、同一形状の２つのアッパー部材１を、左右何れの靴１００に対して用いても構わない。
【０１１２】
アッパー部材１には、撥水防汚などの機能性樹脂を塗布しても良い。
アッパー部材１には、プリントを施したり、シールを張り付ける等をしても良い。
アッパー部材１は、その甲部ＦＫ側に舌片状のタン部分や、左右一対の羽根部分を有し、この羽根部分にシューホール３が設けられていても良い。
逆に、アッパー部材１は、シューホール３自体を有さなくとも良く、又、靴１００は、シューレース１０１を用いなくとも構わない。
尚、アッパー部材１は、第１の編部２１と第２の編部２２の他に、例えば、緯編地２の爪先部分２ｔや、踵部分２ｈ、後開口部分２ｃ、履き口２ｇなどの後部分２ｒに、第１の編部２１や第２の編部２２を編成する糸以外の糸等で編成された編部を有していても良い。
【０１１３】
第１の編部２１や第２の編部２２、その他の部分の色は、任意である。
第１の編部２１と第２の編部２２は、何れか一方が他方に対して隆起又は陥没するなど、第１の編部２１と第２の編部２２で凹凸を形成していても良い。
第２の編部２２は、浮編組織５を有していても良い。
緯編地２の履き口２ｇは、ウーリー糸を含む糸で編成されていたり、履き口２ｇの後部に上方突出した舌片が設けられていても良い。
シューホール３は、第２の編部２２に設けられる以外に、第１の編部２１に設けられていても良い。
【０１１４】
＜加熱成形＞
上述した緯編地２は、加熱（熱処理）によって成形（加熱成形）されても良く、この加熱成形では、緯編地２を、人の平均的な足型である「ラスト（Last）」に履かせた（被せた）状態で熱処理する。
このような加熱成形によって、緯編地２における第２の編部（低伸度部）２２を、使用者Ｕの足Ｆの足長方向Ｌや足厚方向に対して斜めに位置するＭＰ関節・リスフラン関節・ショパール関節に寄り添うように、緯編地２の足長方向Ｌ’や足厚方向に対して斜めに配置させた状態を保持しても良い。
尚、上述した伸度Ｄ（糸伸度Ｄ、編部伸度Ｄ’）は、加熱成形する前に測定した伸度Ｄ及び加熱成形した後に測定した伸度Ｄの何れをも含む。
【産業上の利用可能性】
【０１１５】
本発明に係るアッパー部材、及び、靴は、競技会に出場するアスリート用だけでなく、市民ランナー用やリハビリ用など、老若男女を問わず何れの使用者にも利用可能である。
【符号の説明】
【０１１６】
１        アッパー部材
１Ｌ      アッパー部材の足長方向長さ
２        緯編地
２１      第１の編部
２２      第２の編部
３        シューホール
４        熱融着糸
３０      ソール部材
３０Ｌ    ソール部材の足長方向長さ
１００    靴
１０１    シューレース
Ｕ        使用者
Ｆ        使用者の足
ＦＳ１    使用者の足の一方の側部
ＦＳ２    使用者の足の他方の側部
Ｓ        使用者の足の足幅方向
Ｄ        糸の伸度
【図１】
2019062966.tif 000003
【図２】
2019062966.tif 000004
【図３】
2019062966.tif 000005
【図４】
2019062966.tif 000006
【図５】
2019062966.tif 000007
【図６】
2019062966.tif 000008
【図７】
2019062966.tif 000009